(57)【要約】      （修正有）【課題】従来技術によるエアコン室外機の温度上昇抑制方法では、エアコン冷房時に室外機のフィン部分に直射日光による熱を遮断するために、断熱マットを斜めに立てかける方法が示されている。この方法では、フィンの前面の室外空気の吸入口に斜めにたて立てかけるため、設置工事が必要となるなどの問題がある。既設のエアコンの室外機、その周辺に対して簡単な作業を施すことにより、エアコンの冷暖房効率を上げる方法を提供する。【解決手段】エアコンの室外機１３〜１６が設置された周辺、および室外機のカバーに遮熱・断熱効果の優れた遮熱・断熱塗料を塗布することによってヒートポンプを用いたエアコンの冷暖房効率を上げるようにする。【選択図】図３
2015117924.tif 000002
【特許請求の範囲】
【請求項１】
エアコンの室外機が設置された周辺に遮熱・断熱塗料が塗布されたことを特徴とするエアコンの冷暖房効率を上げる方法。
【請求項２】
エアコンの室外機が設置された周辺の遮熱・断熱塗料の塗布は、前記室外機が設置された床面に対して行われることを特徴とする請求項１記載のエアコンの冷暖房効率を上げる方法。
【請求項３】
エアコンの室外機が設置されたコンクリート、あるいはアスファルト床面に対して遮熱・断熱塗料の塗布が行われることを特徴とする請求項１または２のいずれかに記載のエアコンの冷暖房効率を上げる方法。
【請求項４】
エアコンの室外機が設置された周辺の遮熱・断熱塗料の塗布は、エアコンの室外機の空気吸入部の近傍側面部材に対して行われることを特徴とする請求項１記載のエアコンの冷暖房効率を上げる方法。
【請求項５】
エアコンの室外機が設置された周辺、および前記室外機のカバーに遮熱・断熱塗料が塗布されたことを特徴とするエアコンの冷暖房効率を上げる方法。
【請求項６】
ビルの屋上に設置されたエアコンの室外機の周辺に遮熱・断熱塗料が塗布されたことを特徴とするエアコンの冷暖房効率を上げる方法。
【請求項７】
ビルの屋上に設置されたエアコンの室外機の周辺、および前記室外機のカバーに遮熱・断熱塗料が塗布されたことを特徴とするエアコンの冷暖房効率を上げる方法。
【請求項８】
エアコンの室外機が設置された周辺に塗布される遮熱・断熱塗料は、アクリルエマルジョンに中空ビーズをブレンドした水性塗料であることを特徴とするエアコンの冷暖房効率を上げる方法。
【請求項９】
エアコンの室外機が設置された周辺、および前記室外機のカバーに塗布される遮熱・断熱塗料は、アクリルエマルジョンに中空ビーズをブレンドした水性塗料であることを特徴とするエアコンの冷暖房効率を上げる方法。
【発明の詳細な説明】
【技術分野】
【０００１】  本発明は、エアコンの室外機に対して熱交換を改善させて冷暖房効率を上げる方法に関するものである。
【背景技術】
【０００２】  近年、あらゆる分野で節電が求められている。夏季の冷房、冬季の暖房に使われるエアコンの電力消費は大きな割合を占めている。エアコンの冷暖房効率を上げることや室内温度を冷房時高めに、暖房時低めに設定することが節電に繋がることになる。また、エアコン自体では、インバータを用いたきめ細かい制御や人感センサ等のセンサを用いて必要エリアだけの冷暖房を行う等の効率改善が行われている。しかし、エアコンは室内機と室外機の間を冷媒が循環して凝縮と蒸発を繰り返すことで、冷房時には室内の空気中の熱を室外に放出し、また、暖房時には、室外の空気中の熱を室内に放出するヒートポンプが用いられているため、夏季の冷房時には室外機の周囲温度を下げることで、冷房効率を上げることができる。冬季の暖房時には、逆に室外機の周囲温度を上げることで暖房効率を上げることができ、節電に繋がる。エアコンの室外機フィンやカバーが直射日光で温度上昇するのを抑制するようにした本発明に関する先行技術文献がある。
【先行技術文献】
【特許文献】
【０００３】
【特許文献１】特開２００５−２２６９８３号報
【特許文献２】登録実用新案第３０５８３３２号
【発明の概要】
【発明が解決しようとする課題】
【０００４】  上記文献１によるエアコン室外機の温度上昇抑制方法では、エアコン冷房時に室外機のフィン部分に直射日光による熱を遮断するために、断熱マットを斜めに立てかける方法が開示されている。また、文献２によれば、エアコン室外機のカバーに断熱塗料を塗布して直射日光による室外機の温度上昇の防止が開示されている。文献１の方法では、フィンの前面の室外空気の吸入口に斜めにたて立てかけるため、設置工事が必要となる。また、断熱マットを立てかけることにより、吸気を覆うことになり室外機の空気の吸入、排気の通気が悪化し、フィンの温度上昇抑制が十分得られない恐れがある。文献２によれば、エアコン室外機に直射日光が当たってこの室外機の温度が上昇するのを防止するために、室外機のカバーに断熱塗料を塗布したルームエアコンが開示されている。この文献２の技術によれば、室外機のカバーに直射日光が当たっている時には効果があるが、室外機周辺の空気の温度上昇に対しては十分な効果は得られていない。また、冬季の暖房動作時には、室外機の断熱塗料を塗布した天板を外して、直射日光が直接上部カバーに当たるようにしている。いずれの先行技術にしても、夏季における冷房動作時の室外機の周囲温度を下げるには十分とは言えない。更に冬季の暖房動作時の室外機対策は行われていない。そこで、本発明の目的は、既設のエアコンの室外機、その周辺に対して簡単な作業を施すことにより、エアコンの冷暖房効率を上げる方法を提供することにある。
【課題を解決するための手段】
【０００５】  本発明は、上記従来の課題を解決するためになされたものであり、エアコンの室外機が設置された周辺、および室外機のカバーに遮熱・断熱に優れた遮熱・断熱塗料を塗布することによってヒートポンプを用いたエアコンの冷暖房効率を上げるようにすることである。
【発明の効果】
【０００６】  本発明のエアコンの冷暖房効率を上げる方法によれば、夏季の冷房運転時、エアコン室外機内部と周辺の外気温度を低くできるので、ヒートポンプを用いたエアコン室外機内の室外熱交換器を介して排出される排気温度を低くできる。このため、コンプレッサでの冷媒の圧縮を下げることができ、コンプレッサの消費電力を少なくすることができる。冬季の暖房運転時には、エアコン室外機内部と周辺外気温度を上げることができるので、室外熱交換器を介して外気の空気中の熱を多く汲み上げることができ、その分、コンプレッサでの冷媒の圧縮を下げることができ、コンプレッサの消費電力を少なくすることができる。このように、エアコンの冷房時、暖房時とも消費電力が削減でき、エアコンの冷暖房効率を上げることができる。更に、既設のエアコン室外機のカバー、および周辺に遮熱・断熱に優れた耐久性の高い塗料を塗布するだけで、エアコンの冷暖房効率を上げることができる。
【図面の簡単な説明】
【０００７】
【図１】  本発明の一実施形態を示す図である。
【図２】  本発明の他の実施形態を示す図である。
【図３】  本発明の他の実施形態を示す図である。
【図４】  本発明の動作を説明する図である
【図５】  本発明の動作を説明する図である
【発明を実施するための形態】
【０００８】  本発明のエアコンの冷暖房効率を上げる方法の一実施形態を図１に示す。図１では、遮熱・断熱に優れた遮熱・断熱塗料をエアコン室外機１、２が設置された周辺として床面、また近傍側面がある場合は近傍側面にそれぞれ遮熱・断熱塗料塗布面５、６として塗布したものである。このように、エアコン室外機１、２の周辺に遮熱・断熱塗料が塗布された遮熱・断熱塗料塗布面５、６を設けることで、夏季のエアコンの冷房動作時に、エアコン室外機１、２周辺の床面、あるいは側壁の構造物（例えばコンクリート）に直射日光が当たり、過熱されて熱くなるのを防止できる。このため遮熱・断熱塗料塗布面５、６上部の外気の温度を下げることができ、エアコン室外機１、２の室外空気吸入口３から吸入される周辺空気の温度を下げることができる。冬季のエアコン暖房動作時には、エアコン室外機１、２の周辺に遮熱・断熱塗料塗布面５、６が設けられているので、エアコン室外機１、２周辺の床面、あるいは側壁の構造物（例えばコンクリート）が冷えて、温度が下がるのを抑制できる。この結果、エアコン室外機１、２の周辺に遮熱・断熱塗料塗布面５、６を設けたことにより、遮熱・断熱塗料塗布面５、６が無い場合より、エアコン室外機１、２の室外空気吸入口３から吸入される周辺空気の温度を上げることができる。遮熱・断熱塗料塗布面５、６の大きさについての実験では、エアコン室外機１の高さをｈとすると、周辺に２ｈの幅以上の塗布面とすることで、エアコンの冷暖房効率を〜約１０％上げられる結果が得られている。次に、本発明のエアコンの冷暖房効率を上げる方法の他の実施形態を図２に示す。図２では、図１と同様、遮熱・断熱に優れた遮熱・断熱塗料をエアコン室外機１、２が設置された周辺として床面、また近傍側面がある場合は近傍側面にそれぞれ遮熱・断熱塗料塗布面５、６として塗布すると共に、エアコン室外機１、２のカバーに遮熱・断熱塗料塗布面７、８として塗布したものである。この遮熱・断熱塗料塗布面７、８は、エアコン室外機１、２のカバー全面に渡って設けられる。遮熱・断熱に優れた遮熱・断熱塗料をエアコン室外機１、２のカバー全面に塗布したことで、夏季のエアコンの冷房動作時に、直射日光が当たり、エアコン室外機１、２のカバーの温度が上がるのを抑制できるので、内部の空気や室外熱交換器、コンプレッサ等が熱くなるのを防ぐことができる。冬季のエアコン暖房動作時には、遮熱・断熱に優れた遮熱・断熱塗料をエアコン室外機１、２のカバー全面に塗布したことで、エアコン室外機１、２が外気で冷やされるのを外断熱効果で抑制でき、内部の空気や室外熱交換器、コンプレッサ等が冷えるのを防ぐことができる。エアコン室外機１、２が設置された周辺、および前記室外機のカバーに遮熱・断熱塗料が塗布されたことにより、実験では、エアコン室外機１の高さをｈとすると、周辺に２ｈの幅以上の塗布面とすることと、カバー全面に遮熱・断熱塗料塗布面７、８を設けたことで、エアコンの冷暖房効率を〜約２０％上げられる結果が得られている。次に、本発明のエアコンの冷暖房効率を上げる方法の他の実施形態を図３に示す。図３で、ビル９の屋上１０に設置されているエアコン室外機１３〜１６のカバーに図示しないが遮���・断熱に優れた遮熱・断熱塗料が塗布される。更に、エアコン室外機１３〜１６の周辺の屋上１０の床面に遮熱・断熱に優れた遮熱・断熱塗料が遮熱・断熱塗料塗布面１７として塗布される。また、屋上１０への屋上出入り口１１を有したエアコン室外機１３〜１６の近傍の側壁１２に、遮熱・断熱に優れた遮熱・断熱塗料が遮熱・断熱塗料塗布面１８として塗布される。この遮熱・断熱塗料塗布面１７、１８の大きさは、エアコン室外機１３〜１６の高さをｈとすると、このエアコン室外機１３〜１６の周囲に２ｈ以上とすることで、エアコンの冷暖房効率を〜約２０％上げることが可能となる。ここで、エアコンの室外機１、２、１３〜１６が設置された周辺に塗布される遮熱・断熱塗料は、アクリルエマルジョンに中空（真空）ビーズをブレンドした水性塗料とすることで、優れた遮熱・断熱効果を得ることができると共に、優れた耐久性を有したものとなっている。このように、既設のエアコン室外機１、２、１３〜１６の周辺に遮熱・断熱に優れた遮熱・断熱塗料を塗布するだけで、エアコンの冷暖房効率を上げることが可能となる。遮熱・断熱塗料塗布面５、１７はエアコンの室外機１、２、１３〜１６が設置されたコンクリート、あるいはアスファルト床面に対して遮熱・断熱塗料の塗布が行われる。また、エアコン室外機１、２、１３〜１６が設置された周辺の遮熱・断熱塗料の塗布は、室外空気吸入口３に対する既設の近傍側面部材、あるいは側壁１２に対して行われる。エアコン室外機１、２、１３〜１６は、室外空気吸入口３から周辺の外気を吸入して図示しないが、室外熱交換器で冷房時熱が放出され、暖房時には空気の熱が吸い上げられ、排気が室外空気排出口４から排出される。この空気の吸入、排出は室外空気排出口４に設けられたファンによって行われる。ここで、本発明のエアコンの室外機１、２、１３〜１６が設置された周辺、およびそれぞれの室外機のカバーに遮熱・断熱塗料を塗布したことで、エアコンの冷暖房効率を上げるのにエアコン室外機１、２、１３〜１６の室外空気吸入口３から室外空気排出口４への通風を妨げることなく、夏季のエアコン冷房動作時には、室外空気吸入口３周辺の外気を下げ、冬季のエアコン暖房動作時には室外空気吸入口３周辺の外気を上げることができ、この結果、エアコンの冷暖房効率をあげることが可能となることを、図４、図５を用いて説明する。図４は、エアコンの冷房の動作を説明するための概略図である。エアコンは、室内熱交換器２３、エアコン室外機内のコンプレッサ２０、と室外熱交換器２１、およびエアコン室内機内の膨張弁２２が金属製のパイプで接合されていて、このパイプ内には、代替フロンからなる冷媒が充填されていて循環するように構成される。コンプレッサ２０は、電力２４が供給されて、室内吸入空気３１から室内熱交換機２３で空気中の熱が汲み上げられて、暖まった中温冷媒の冷媒Ａ２５の圧縮が行われる。圧縮されて熱くなった高温冷媒の冷媒Ｂ２６が室外熱交換器２１内を流れる。この時に室外吸入空気２７が室外熱交換器２１の表面を通過するときに室外の低い温度の空気中の熱が汲み上げられ、熱交換が行われて熱い空気が室外排出空気２８として熱の放出が行われる。熱が放出された中温冷媒の冷���Ｃ２９が膨張弁２２の小さな穴からパイプ内の広い空間へ一気に放出されることで膨張させられ、冷やされた冷温冷媒の冷媒Ｄ３０が室内熱交換器２３で室内吸入空気３１から室内の熱を吸収すると共に冷えた空気が室内排出空気３２として排出されて冷房が行われる。パイプ内を循環する冷媒は冷房動作時には、冷媒の流れる方向３３として示される。図５は、エアコンの暖房時の動作を説明するための概略図である。コンプレッサ２０は、電力２４が供給されて、室外吸入空気２７から室外熱交換機２１で空気中の熱が汲み上げられて、暖まった中温冷媒の冷媒Ａ２５を圧縮して熱くなった高温冷媒として冷媒Ｂ２６が室内熱交換器２３内を流れる。この時に室内吸入空気３１が室内熱交換器２３の表面を通過するときに室内の低い温度の空気中の熱が汲み上げられ、熱交換が行われて熱い空気が室内排出空気３２として暖気が放出される。熱が放出された中温冷媒の冷媒Ｃ２９が膨張弁２２の小さな穴からパイプ内の広い空間へ一気に放出されることで膨張させられ、冷やされた冷温冷媒の冷媒Ｄ３０が室外熱交換器２１で室外吸入空気２７から室外の熱を汲み上げて、冷えた空気が室外排出空気２８として排出されて暖房が行われる。パイプ内を循環する冷媒は暖房動作時には、冷媒の流れる方向３３として示され、冷房動作時と逆の方向となる。図示しないが４回路切換弁が用いられて、冷媒の流れる方向３３の切り替えが行われて冷房と暖房の動作が行われる。このように、エアコンの冷房動作時には、室内熱交換器２３内の冷えた気圧の薄い状態の冷媒が室内吸入空気３１の熱を汲み上げ、ここで熱交換が行われる。室内から汲み上げられた熱で暖まった中温冷媒の冷媒Ａ２５は、コンプレッサ２０で圧縮されて熱くなった高温の冷媒Ｂ２６となり室外熱交換機２１から室外吸入空気２７との間で熱交換が行われて室内から汲み上げた熱が放出される。この時に、室外熱交換器２１内に流入する冷媒Ｂ２６と室外吸入空気２７との温度差が大きいほど室外への放熱が大きく得られる。このため室外吸入空気２７の温度が高いと室内から吸い上げた熱の室外への放出がしにくくなる。このような状態では、室内の温度をある設定温度に冷やそうとする場合、コンプレッサ２０に、より多くの電力２４を供給して、コンプレッサ２０の圧力を上げ、より高温の熱い冷媒Ｂ２６としなければならず、消費電力が増し、エアコンの冷房効率が低下することになる。本発明では、夏季のエアコンの冷房動作時にエアコンの室外機１、２、１３〜１６の室外吸入空気２７の温度が下がるようにしたので、コンプレッサ２０の圧縮を低減でき、コンプレッサ２０に供給される電力２４を軽減できるので、エアコンの冷房時の効率を上げることができる。冬季のエアコンの暖房動作時には、図５に示したように、室外交換機２１で室外吸入空気２７から熱を汲み上げ室内にその熱を放出する動作で暖房動作が行われる。室外吸入空気２７から汲み上げられた熱を得た冷媒Ａ２５はコンプレッサ２０で圧縮が行われて熱くなった高温の冷媒Ｂ２６が室内熱交換器２３で熱交換が行われて、室内排気空気３２として排出され室内が暖められる。従って、冬季のエアコンの暖房動作時には、室外吸入空気２７から汲み上げた熱とコンプレッサ���０で冷媒Ａを圧縮して得た時の熱の温度の合計が暖房となる。このため、室外吸入空気２７の温度が高ければ、コンプレッサ２０の圧縮を低減でき、供給される電力２４を少なくできるので、エアコンの暖房効率を上げることができることになる。本発明では、冬季のエアコンの暖房動作時にエアコンの室外機１、２、１３〜１６の冷え、および周辺の床面、側壁の冷えを低減し、室外吸入空気２７の温度が上がるようにしたので、コンプレッサ２０の圧縮を低減できるのでコンプレッサ２０に供給される電力２４を軽減でき、エアコンの暖房時の効率を上げることができる。
【符号の説明】
【０００９】１、２、１３〜１６  エアコン室外機
３  室外空気吸入口
４  室外空気排出口
５、６  遮熱・断熱塗料塗布面
７、８  遮熱・断熱塗料塗布面
９  ビル
１０  屋上
１１  屋上出入り口
１２  側壁
１７、１８  遮熱・断熱塗料塗布面
２０  コンプレッサ
２１  室外熱交換器
２２  膨張弁
２３  室内熱交換器
２４  電力
２５  冷媒Ａ
２６  冷媒Ｂ
２７  室外吸入空気
２８  室外排出空気
２９  冷媒Ｃ
３０  冷媒Ｄ
３１  室内吸入空気
３２  室内排出空気
３３  冷媒の流れる方向
【図１】
2015117924.tif 000003
【図２】
2015117924.tif 000004
【図３】
2015117924.tif 000005
【図４】
2015117924.tif 000006
【図５】
2015117924.tif 000007